(57)【要約】【課題】就寝状態にあって顔面の保湿並びにフェイスアップ効果を伴うマッサージ効果を得ることができる枕カバー並びに枕を提供する。【解決手段】右横寝、左横寝状態において右左顔面それぞれに対応した略顎下位置から略頬上位置方向に順流効果を及ぼす方向性起毛繊維をもちいたマッサージ枕カバーと枕より構成される。【選択図】図１
2015144798.tif 000002
【特許請求の範囲】
【請求項１】
任意の枕の少なくとも上面を覆う枕カバーであって、
少なくとも左右中央において仰向けとなった状態で右寝返りをうった際に右顔に接する右基布と、
少なくとも左右中央において仰向けとなった状態で左寝返りをうった際に左顔に接する左基布とを有し、
前記右基布と前記左基布はそれぞれの右横寝、左横寝状態において右左顔面それぞれに対応した略顎下位置から略頬上位置方向に順流効果を及ぼす方向性起毛繊維をもちいたマッサージ枕カバー。
【請求項２】
前記右基布と前記左基布は保湿効果をもたらす起毛繊維からならことを特徴とする請求項１記載の枕カバー。
【請求項３】
枕本体と、
任意の枕の少なくとも上面を覆う表面生地とより構成され、
前記表面生地の少なくとも左右中央において仰向けとなった状態で右寝返りをうった際に右顔に接する右基布と、
前記表面生地の少なくとも左右中央において仰向けとなった状態で左寝返りをうった際に左顔に接する左基布とを有し、
前記右基布と前記左基布はそれぞれ右横寝、左横寝状態において右左顔面それぞれに対応した略顎下位置から略頬上位置方向に順流効果を及ぼす方向性起毛繊維をもちいたマッサージ枕。
【請求項４】
前記右基布と前記左基布は保湿効果をもたらす起毛繊維からならことを特徴とする請求項３記載のマッサージ枕。
【発明の詳細な説明】
【技術分野】
【０００１】  本発明は、就寝状態にあって顔面の保湿並びにフェイスアップ効果を伴うマッサージ効果を得ることができる枕カバー並びに枕に関するカバーに関するものである。
【背景技術】
【０００２】  従来の枕カバーは枕への汚れを防止するためのものであった。【０００３】  就寝時の顔への保湿美容効果を得るために、第一に保湿性を有する成分を施した枕カバーがあった。
特許文献１の特開２００７−２９１５４９においては、繊維用水分散液を用いた繊維技術並びのこれを用いた枕カバーがあった。
特許文献２の特開２００４−３１６０１７においては、繊維表面に保湿物質を施した繊維並びにこれを用いた枕カバーがあった。
特許文献３の特開２００４−２０４４３０においては、保湿成分処理を施した繊維を用いた手袋があった。
特許文献４の特開２００９−２９９２１１においては、繊維自体に保湿成分を施した戦隊並びにこれを用いた枕カバーがあった。【０００４】  就寝時の顔への保湿美容効果を得るために、第二に押圧マッサージ効果をもたらす枕カバーがあった。
特許文献５の特開２００４−１６６７２２においては、空気の供給により膨張収縮による押圧効果をもたらす枕カバーがあった。
特許文献６の特開２００３−２３５９１９においては、機械式マッサージ機構を内蔵した枕カバーがあった。【０００５】  就寝時の顔への保湿美容効果を得るために、第三に磁力効果をもたらす枕カバーがあった。
特許文献７の特開平１１−２９０４６３においては、磁石を用いて接する顔面への磁力効果をもたらす枕カバーがあった。【０００６】  就寝時の顔への保湿美容効果を得るために、第四に摩擦低減により顔面への負荷を減少させる枕カバーがあった。
特許文献８の特開２００３−２４２０１においては、低摩擦化処理した繊維を用いた枕カバーがあった。【０００７】  繊維の方向性を利用した他分野技術として、特開２００１−２５４２１５に示すようす順風、逆風にあわせ空気流を流したり、空気流を含ませることで飛行距離を伸ばすことを目的としたスキーウェアがあった。
【先行技術文献】
【特許文献】
【０００８】
【特許文献１】特開２００７−２９１５４９
【特許文献２】特開２００４−３１６０１７
【特許文献３】特開２００４−２０４４３０
【特許文献４】特開２００９−２９９２１１
【特許文献５】特開２００４−１６６７２２
【特許文献６】特開２００３−２３５９１９
【特許文献７】特開平１１−２９０４６３
【特許文献８】特開２００３−２４２０１
【特許文献９】特開２００１−２５４２１５
【発明の概要】
【発明が解決しようとする課題】
【０００９】  保湿成分を有する生地を利用した枕並びに枕カバーにおいては、肌に保湿効果を与えることはできるが、肌に対して単なる押圧刺激を伴う成分授与であり、限られた効果に留まっていた。【００１０】  空気の供給により膨張収縮による押圧効果、機械的マッサージによるものは、電源を基本動力としており、コスト高になっていた。また、電源がない場所では使用できないものであった。【００１１】  押圧効果並びに磁力効果を得るものにあっては、局所的な刺激に留まりその効果が不確定なものであった。【００１２】  繊維の方向性を利用したスキーウェアは存在したが、これはスキージャンプの飛行距離を伸ばすためのものであり肌に対する効果は一切得ることができない。
【課題を解決するための手段】
【００１３】  上記課題を解決するために、
任意の枕の少なくとも上面を覆う枕カバーであって、
少なくとも左右中央において仰向けとなった状態で右寝返りをうった際に右顔に接する右基布と、
少なくとも左右中央において仰向けとなった状態で左寝返りをうった際に左顔に接する左基布とを有し、
前記右基布と前記左基布はそれぞれの右横寝、左横寝状態において右左顔面それぞれに対応した略顎下位置から略頬上位置方向に順流効果を及ぼす方向性起毛繊維をもちいたことを特徴とする。【００１４】  前記右基布と前記左基布は保湿効果をもたらす起毛繊維からならことを特徴とする。【００１５】  枕本体と、
任意の枕の少なくとも上面を覆う表面生地とより構成され、
前記表面生地の少なくとも左右中央において仰向けとなった状態で右寝返りをうった際に右顔に接する右基布と、
前記表面生地の少なくとも左右中央において仰向けとなった状態で左寝返りをうった際に左顔に接する左基布とを有し、
前記右基布と前記左基布はそれぞれ右横寝、左横寝状態に就寝した際に右左顔面それぞれに対応した略顎下位置から略頬上位置方向に順流効果を及ぼす方向性起毛繊維をもちいたことを特徴とする。【００１６】  前記右基布と前記左基布は保湿効果をもたらす起毛繊維からなることを特徴とする。
【発明の効果】
【００１７】  本発明において、任意の枕の少なくとも上面を覆う枕カバーであって、少なくとも左右中央において仰向けとなった状態で右寝返りをうった際に右顔に接する右基布と、少なくとも左右中央において仰向けとなった状態で左寝返りをうった際に左顔に接する左基布とを有し、前記右基布と前記左基布はそれぞれの右横寝、左横寝状態において右左顔面それぞれに対応した略顎下位置から略頬上位置方向に順流効果を及ぼす方向性起毛繊維をもちいることにより、横向きに就寝した場合方向性を有する起毛の反発によりフェイスマッサージとなる略顎下位置から略頬上位置方向に順流効果を及ぼす。
寝ながらにしてフェイスマッサージが施されることにより、顔のむくみ防止はもとより、皮膚のたるみを抑止する。これにより、起床後の顔の手入れの時間が大幅に短縮され効率的な朝の行動をとることができる。【００１８】  基布が保湿効果をもたらす起毛繊維からなることにより、就寝時に皮膚への保湿作用を施す。ここにおいて、前記マッサージ効果が伴われることで、通常就寝時の単純保湿よりも効果的な保湿作用を得ることができる。【００１９】  上記、方向性起毛による順流効果を得る枕カバー技術を枕自体の表面生地に用いることで、カバーを取り替えることなく前記各効果を得ることができる
【図面の簡単な説明】
【００２０】
【図１】本発明の第一実施形態の平面説明図である
【図２】本発明の第一実施形態の使用説明図である
【図３】本発明の第一実施形態の斜視図である
【図４】本発明の第一実施形態の平面図である
【図５】本発明の第一実施形態の一部Ａ−Ａ断面図である
【図６】本発明の第一実施形態の一部Ａ−Ａ断面説明図である
【図７】本発明の第一実施形態の一部Ｂ−Ｂ断面図である
【図８】本発明の第一実施形態の一部Ｂ−Ｂ断面説明図である
【図９】本発明の第一実施形態の作用説明図である
【図１０】本発明の第二実施形態の平面説明図である
【図１１】本発明の第二実施形態の作用説明図である
【図１２】本発明の第三実施形態の斜視図である
【発明を実施するための形態】
【００２１】  以下、本発明の第一実施形態について図１乃至図９をもちいて説明する。
図１は本発明の第一実施形態の平面説明図、図２は本発明の第一実施形態の使用説明図、図３は本発明の第一実施形態の斜視図、図４は本発明の第一実施形態の平面図、図５は本発明の第一実施形態の一部Ａ−Ａ断面図、図６は本発明の第一実施形態の一部Ａ−Ａ断面説明図、図７は本発明の第一実施形態の一部Ｂ−Ｂ断面図、図８は本発明の第一実施形態の一部Ｂ−Ｂ断面説明図、図９は本発明の第一実施形態の作用説明図である。ここにおいて図５乃至図８は、筒状枕カバーの上面部材の一部を示したものである。
【００２２】  本発明は任意の枕に取り付ける枕カバーである。
枕カバーとしては、シート体の対向する両辺に紐をつけて枕に巻いて紐を結んで装着するものやシート体を筒状に縫合した枕カバー等、従来利用される形態の枕カバーであればよい。本実施形態においては、筒状の枕カバーとして説明する。
枕カバーは枕中心に頭をおいた仰向け状態から右横寝で右顔に接する右基布１ａと、枕中心に頭をおいた仰向け状態から左横寝で左顔に接する左基布１ｂが中心部で縫合され全体で筒状となっている。
これを図２、図３に示すように枕２に装着することで利用可能となる。
右基布１ａと左基布１ｂはベロア生地よりなり、その起毛４はシート状の基部材３より突出し方向性を有して傾斜起毛している。
ここにおいて起毛４は図５並びに図７に示すように左右側辺から中心線に対して入射角θとなるように配置されている。入射角θは各基布１の起毛の方向性が鋭角となるように配置されている。
この入射角θは好ましくは１５度から３５度である。この入射角θは接した顔面の略顎下位置から略頬上位置方向に順流効果を及ぼす角度である。これは、利用者の異なる骨格形状に対応するように設定することが好ましい。
あわせて、起毛４は顔面重力による押圧に対して反発性を有する強度であり、反発効果を得られる長さとなっている。長さとしては微細繊維において１ｍｍ〜３ｍｍ程が好ましい。
【００２３】  また、少なくとも起毛４には保湿成分として、スクワレン、スクワラン、ヒアルロン酸、プロビレングリコール、ポリエチレングリコール、ソルビット、尿素、コンドロイチン等、従来保湿効果が得られる成分が施されている。
ここにおいて、各成分は参考文献等の従来技術により、表面に被覆されたり、生地自体に含有されるものなど、接する肌に保湿作用を施すものであればよい。
【００２４】  以下、本発明の作用について説明する。
図９に示すように右横寝、左横寝に対して、右基布１ａ、左基布１ｂには中心線を対象に方向する方向性起毛４が配されている。
右横寝、左横寝状態において、起毛４は図６、図８に示すように顔面重力により起毛４は押し付けられ倒れる。
押し付けられた後、重力は枕並びに基布の柔軟性による形状変化により吸収され、その後起毛４の形状復元に伴う反発力５が発生する。これにより起毛４の反発力による顔面へ押圧刺激が発生する。
すなわち横寝状態となると反発力５が５ａ、５ｂ、５ｃ、５ｄ、５ｅと順に顔面へ反発力が伝わる。これは、図９に示すように略顎下位置から略頬上位置方向に順流効果を及ぼす。これがフェイスマッサージにおける顔面補正に効果的な血流循環作用を与える。さらに、起毛４に施された保湿成分が肌に保湿成分を供与するが、血流循環作用との相乗効果により、より効果的な保湿効果を得ることができる。
【００２５】  以下、本発明の第二実施形態について図１０乃至図１１をもちいて説明する。
図１０は本発明の第二実施形態の平面説明図、図１１は本発明の第二実施形態の作用説明図である。
【００２６】  本実施形態においては、就寝時枕中央に頭を置いた際に頭部に接する中心部に方向性繊維の有無に関係なく髮水分への吸水性もしくは髮栄養素供与性を与える異なる基布１ｃを配したものである。
これにより、就寝状態において顔面のみならず髪にも各種効果を得ることができる。
基布１ｃが吸収性素材よりなるものにおいては、髪が洗髪後に乾燥が不十分な状態で就寝した場合に髪の余剰水分を吸収することあできる。
基布１ｃが髪栄養素供与性素材よりなるものにおいては、髪に対して任意の髪栄養保湿成分を与えることができる。
また、左右横寝においては顔面に前記実施形態一と同様の作用効果が得られる。
【００２７】  以下、本発明の第三実施形態について本発明の第三実施形態の斜視図である図１２をもちいて説明する。
これは前記各種実施形態の技術構成を枕本体の表面生地に用いたものである。
前記各実施形態と同様の効果を枕単体で得られるものである。
【００２８】  各実施形態において、使用時に設置を明確にするために色、柄、視認用デザインを施すことにより間違いなく使用することができる。
【００２９】  上記実施形態においてベロア生地として説明したが、本発明の目的である方向性を持った起毛状態並びに反発力を持つものであれば従来もちいられる生地でよい。もちろん単体で織り込んだもの以外にも貼着した生地などでもよい。
【００３０】  起毛の倒れこみ方向に関しては、図示する作用方向に向かって倒れ傾斜したもののほかに、逆方向に傾斜したものであってもよい。この際、効果の程度は異なるが目的の作用効果を得ることができる。
【００３１】  以上、各実施形態を説明したが、これに限定されるものではなく、目的を達成するものであればよい。
【符号の説明】
【００３２】１；１ａ；１ｂ；１ｃ  基布
２  枕
３  基部材
４  起毛
５；５ａ；５ｂ；５ｃ；５ｄ；５ｅ  反発力
６；６ａ；６ｂ  作用方向
【図１】
2015144798.tif 000003
【図２】
2015144798.tif 000004
【図３】
2015144798.tif 000005
【図４】
2015144798.tif 000006
【図５】
2015144798.tif 000007
【図６】
2015144798.tif 000008
【図７】
2015144798.tif 000009
【図８】
2015144798.tif 000010
【図９】
2015144798.tif 000011
【図１０】
2015144798.tif 000012
【図１１】
2015144798.tif 000013
【図１２】
2015144798.tif 000014